(57)【要約】【課題】オゾン原料ガスである空気の湿度によらず、空気から生成したオゾンを利用して、高い殺菌効率で殺菌処理を行うことのできる殺菌方法を提供すること。【解決手段】本発明の殺菌方法は、オゾンを分解する波長域の光を含まず、かつ波長２００ｎｍ以下の光であるオゾン生成用光を、空気よりなるオゾン原料ガスに対して照射することによってオゾン含有空気を得、得られたオゾン含有空気に殺菌対象物を曝露することにより、当該殺菌対象物を殺菌することを特徴とする。【選択図】図２
2017086257.tif 000002
【特許請求の範囲】
【請求項１】
オゾンを分解する波長域の光を含まず、かつ波長２００ｎｍ以下の光であるオゾン生成用光を、空気よりなるオゾン原料ガスに対して照射することによってオゾン含有空気を得、得られたオゾン含有空気に殺菌対象物を曝露することにより、当該殺菌対象物を殺菌することを特徴とする殺菌方法。
【請求項２】
前記オゾン原料ガスの相対湿度が６０％ＲＨ以下であることを特徴とする請求項１に記載の殺菌方法。
【請求項３】
前記殺菌対象物が開放空間に存在しており、当該開放空間におけるオゾン濃度が１００ｐｐｍ以下であることを特徴とする請求項１または請求項２に記載の殺菌方法。
【請求項４】
前記殺菌対象物が存在する殺菌対象物存在空間に対して、オゾン生成空間内において前記オゾン原料ガスに前記オゾン生成用光が照射されることによって得られたオゾン含有空気が供給されることにより、当該殺菌対象物存在空間内において、当該オゾン含有空気に殺菌対象物が曝露されることを特徴とする請求項１〜請求項３のいずれかに記載の殺菌方法。
【請求項５】
前記オゾン生成空間が、前記殺菌対象物存在空間内に区画されていることを特徴とする請求項４に記載の殺菌方法。
【請求項６】
前記オゾン生成空間において、前記殺菌対象物存在空間の雰囲気を構成する空気が、前記オゾン原料ガスとして供給されることを特徴とする請求項５に記載の殺菌方法。
【発明の詳細な説明】
【技術分野】
【０００１】
本発明は、オゾンを含むオゾン含有空気を利用する殺菌方法に関する。
【背景技術】
【０００２】
従来、殺菌方法の一つとして、強い酸化力を有するオゾン（Ｏ3 ）を利用する手法が知られている。
一方、オゾンの生成方法としては、酸素（Ｏ2 ）を含有する酸素含有ガスの雰囲気下において、沿面放電などの無声放電を生じさせることによってオゾンを生成させる放電方式、および酸素含有ガスに対して紫外線を照射することによってオゾンを生成させる光化学反応方式などが知られている。
そして、殺菌方法においては、放電方式のオゾン生成方法が広く利用されている。
【０００３】
具体的に、オゾンを利用する殺菌方法の或る種のものとしては、室内の雰囲気を構成する空気中に存在する殺菌対象物あるいは室内に配置してある室内配置物の表面に付着している殺菌対象物を、オゾンを含有するオゾン含有空気と霧（水分）との混合体に曝露させることにより、当該雰囲気を構成する空気あるいは当該室内配置物の殺菌処理を行う手法が開示されている（特許文献１参照。）。
この特許文献１に記載の殺菌方法においては、ダクト内に、室内の雰囲気を構成する空気を取り込み、当該ダクト内において、沿面放電を生じさせることによってオゾンを生成し、その生成されたオゾンを含有するオゾン含有空気と、噴霧ノズルで生成された霧（水分）とを混合する。そして、ダクトから、オゾン含有空気と霧との混合体を、室内に供給することにより、その室内の雰囲気を構成する空気および当該室内に配置してある室内配置物の殺菌処理が行われる。この殺菌方法においては、殺菌効率の観点から、オゾン含有空気と霧との混合体が供給された室内、すなわち殺菌処理中の室内が、高湿度、具体的には湿度が８０％以上であることが好ましいとされている。
【０００４】
このように、従来において、オゾンを利用する殺菌方法においては、殺菌効率が、殺菌対象物を殺菌する空間（殺菌処理中の室内）の雰囲気に依存することが知られているものの、殺菌処理に利用するオゾンの生成方法が殺菌効率に及ぼす影響については、明らかにされていない。すなわち、従来において、オゾンを利用する殺菌方法においては、オゾンの生成方法と殺菌効率との関係性については考慮されていない。
【先行技術文献】
【特許文献】
【０００５】
【特許文献１】特許第４６９７６２５号明細書
【発明の概要】
【発明が解決しようとする課題】
【０００６】
而して、本発明の発明者らは、オゾンを利用する殺菌方法について鋭意研究を重ね、殺菌処理に利用するオゾンの生成方法によって殺菌処理の様相が異なることを見出した。すなわち、オゾンを利用する殺菌方法においては、オゾン原料ガスとして空気を用いる場合には、その空気の湿度が、オゾンの生成方法との関係において、殺菌効率に大きく影響を及ぼす場合があることが判明した。
【０００７】
本発明は、以上のような事情に基づいてなされたものであって、その目的は、オゾン原料ガスである空気の湿度によらず、空気から生成したオゾンを利用して、高い殺菌効率で殺菌処理を行うことのできる殺菌方法を提供することにある。
【課題を解決するための手段】
【０００８】
本発明の殺菌方法は、オゾンを分解する波長域の光を含まず、かつ波長２００ｎｍ以下の光であるオゾン生成用光を、空気よりなるオゾン原料ガスに対して照射することによってオゾン含有空気を得、得られたオゾン含有空気に殺菌対象物を曝露することにより、当該殺菌対象物を殺菌することを特徴とする。
【０００９】
本発明の殺菌方法においては、前記オゾン原料ガスの相対湿度が６０％ＲＨ以下であってもよい。
【００１０】
本発明の殺菌方法においては、前記殺菌対象物が開放空間に存在しており、当該開放空間におけるオゾン濃度が１００ｐｐｍ以下であることが好ましい。
【００１１】
本発明の殺菌方法においては、前記殺菌対象物が存在する殺菌対象物存在空間に対して、オゾン生成空間内において前記オゾン原料ガスに前記オゾン生成用光が照射されることによって得られたオゾン含有空気が供給されることにより、当該殺菌対象物存在空間内において、当該オゾン含有空気に殺菌対象物が曝露されることが好ましい。
このような構成の本発明の殺菌方法においては、前記オゾン生成空間が、前記殺菌対象物存在空間内に区画されていることが好ましく、更に、前記オゾン生成空間において、前記殺菌対象物存在空間の雰囲気を構成する空気が、前記オゾン原料ガスとして供給されることが好ましい。
【発明の効果】
【００１２】
本発明の殺菌方法においては、オゾンを分解する波長域の光を含まず、かつ波長２００ｎｍ以下の光であるオゾン生成用光を、空気よりなるオゾン原料ガスに対して照射することによって得られたオゾン含有空気に、殺菌対象物を曝露する。そのため、オゾン生成用光が照射されることに起因して、生成されたオゾンが分解されることがなく、また殺菌効率がオゾン原料ガスの湿度に大きく影響されることがない。
従って、本発明の殺菌方法によれば、オゾン原料ガスである空気の湿度によらず、空気から生成したオゾンを利用して、高い殺菌効率で殺菌処理を行うことができる。その結果、本発明の殺菌方法においては、低湿度環境下においても、周囲空気をオゾン原料ガスとして用いることによって高い殺菌効率で殺菌処理を行うことができる。
【図面の簡単な説明】
【００１３】
【図１】本発明の殺菌方法に用いられるエキシマランプの構成の一例を、ベース部材および高周波電源と共に示す説明図である。
【図２】本発明の殺菌方法を実施するために用いられる殺菌処理機構の構成の一例を示す説明図である。
【図３】図２の殺菌処理機構におけるオゾン発生器の構成の一例の概略を示す説明図である。
【図４】本発明の殺菌方法を実施するために用いられる殺菌処理機構の構成の他の例を示す説明図である。
【図５】本発明の殺菌方法を実施するために用いられる殺菌処理機構の構成の更に他の例を示す説明図である。
【図６】本発明の殺菌方法を実施するために用いられる殺菌処理機構の構成のまた更に他の例を示す説明図である。
【図７】実験例１に用いた殺菌処理機構の構成の概略を示す説明図である。
【図８】実験例１に用いた比較用の殺菌処理機構を構成するオゾン発生器の要部を示す説明図である。
【図９】実験例１において、実験用殺菌処理機構を用いることによって得られた、ＣＴ値と殺菌率との関係を示すグラフである。
【図１０】実験例１において、比較実験用殺菌処理機構を用いることによって得られた、ＣＴ値と殺菌率との関係を示すグラフである。
【発明を実施するための形態】
【００１４】
以下、本発明の殺菌方法の実施の形態について説明する。
本発明の殺菌方法は、病院（具体的には、病室等）、工場（具体的には、食品取扱室等）および食品庫等の内部空間（室内空間）の雰囲気を構成する空気、水、並びに、椅子および医療機器等の室内配置物などを被殺菌処理対象とし、空気中および水中などに存在している殺菌対象物、並びに室内配置物の表面に付着している殺菌対象物を殺菌する殺菌処理を行うための方法である。
【００１５】
この本発明の殺菌方法は、オゾン生成用光を、空気よりなるオゾン原料ガス（以下、「原料空気」ともいう。）に対して照射することによってオゾン含有空気を得、得られたオゾン含有空気に殺菌対象物を曝露することにより、当該殺菌対象物を殺菌する方法である。そして、オゾン生成用光が、オゾンを分解する波長域の光を含まず、かつ波長２００ｎｍ以下の光（紫外線）であることを特徴とする。
ここに、「オゾンを分解するオゾン分解波長域の光」とは、波長２４０〜２８０ｎｍの光（紫外線）を示す。
【００１６】
本発明の殺菌方法において、オゾン生成用光の波長域は、２００ｎｍ以下とされ、好ましくは１７２ｎｍを含む波長域である。
オゾン生成用光が波長２００ｎｍ以下の光であることにより、原料空気を構成する酸素が分解されることによってオゾンが生成される。具体的に説明すると、酸素分子にオゾン生成用光が照射されることにより、当該酸素分子が分解（解離）して酸素原子が生じ、その酸素原子と他の酸素分子が結合することによってオゾンが生成される。しかも、オゾン生成用光が波長２００ｎｍ以下の光であることによれば、原料空気に対して、オゾン分解波長域の光が照射されることがないことから、オゾン生成用光が照射されることに起因して、生成されたオゾンが分解されることがない。
また、オゾン生成用光が波長１７２ｎｍの光を含むことによれば、オゾン生成用光を原料空気に照射することによって、活性酸素の一種である過酸化水素（Ｈ2 Ｏ2 ）を高い効率で生成させることができる。そのため、高い殺菌効率を得ることができる。
【００１７】
また、原料空気としては、殺菌対象物が存在する殺菌対象物存在空間の外部雰囲気を構成する空気、または殺菌対象物存在空間を構成する空気が好適に用いられる。
【００１８】
また、本発明の殺菌方法において、原料空気に対するオゾン生成用光の照射条件は、殺菌対象物の種類、被殺菌処理対象の種類および被殺菌処理対象において必要とされる殺菌率などを考慮して適宜に定められる。
原料空気に対するオゾン生成用光の照射条件の一例として、放射強度は、例えば２３．３〔ｍＷ／ｃｍ2 〕であり、照射時間は、例えば１４．６〔ｍｓｅｃ〕である。
【００１９】
また、本発明の殺菌方法において、殺菌効率の観点から、原料空気にオゾン生成用光が照射されることによって得られたオゾン含有空気は、直ちに殺菌処理に供されることが好ましい。
【００２０】
また、本発明の殺菌方法において、殺菌対象物に対するオゾン含有ガスの曝露時間、すなわち殺菌処理時間は、オゾン含有空気におけるオゾン濃度に応じ、殺菌対象物の種類、被殺菌処理対象の種類および被殺菌処理対象において必要とされる殺菌率などを考慮して適宜に定められる。具体的には、オゾン含有空気におけるオゾン濃度との関係において、当該オゾン濃度〔ｐｐｍ〕と曝露時間〔ｍｉｎ〕との積によって算出されるＣＴ値が、６０以上であることが好ましい。
ここに、「ＣＴ値」とは、殺菌・不活性効果を示す指標であり、そのＣＴ値が高い程、殺菌・不活性効果が大きいことを示すものである。
【００２１】
本発明の殺菌方法において、オゾン生成用光を放射するオゾン生成光源としては、オゾン分解波長域の光を放射することがなく、かつ波長２００ｎｍ以下の光を放射するもの、具体的には、エキシマランプおよび希ガス蛍光ランプ等の放電ランプ、並びにＬＥＤ素子およびＬＤ素子などの発光素子などが用いられる。
オゾン生成光源がエキシマランプまたは希ガス蛍光ランプよりなるものである場合には、大きなオゾン発生量を得るために、水銀ランプと比較して大きな投入電力が必要とされることがない。そのため、高い効率でオゾンを生成することができる。
また、オゾン生成光源がＬＥＤ素子よりなるものである場合には、当該オゾン生成光源は、例えば、複数のＬＥＤ素子が、放熱基板上に適宜に配列されてなる構成を有するものとされる。
ここに、本発明において、「エキシマランプ」とは、Ｋｏｇｅｌｓｃｈａｔｚ，Ｐｕｒｅ＆Ａｐｐｌ．Ｃｈｅｍ．Ｖｏｌ．６２，Ｎｏ．９，１９９０，ｐ１６６７−１６７４に示されているように、誘電体を介して５０Ｈｚ〜数ＭＨｚの高周波電圧が印加されることによって生じる放電（誘電体バリア放電）を利用するランプである。
また、「希ガス蛍光ランプ」とは、例えば、両端に封止部が形成された、石英ガラスなどの透光性を有する誘電体材料よりなる筒状の発光管を有し、この発光管の内部に、キセノン、アルゴンおよびクリプトンなどの希ガスが封入され、当該発光管の内周面に蛍光体層が形成されたものである。そして、発光管には、一対の外部電極が、当該発光管の管軸方向に沿って互いに離間して設けられている。このような希ガス蛍光ランプにおいては、一対の外部電極に対して高周波電圧を印加することにより、誘電体（石英ガラスよりなる発光管の管壁）が介在された状態の一対の外部電極の間において放電が形成される。その結果、発光管の内部において希ガスエキシマ分子が形成され、この希ガスエキシマ分子が基底状態に遷移する際、エキシマ光が放出される。このエキシマ光により蛍光体層を構成する蛍光体が励起され、当該蛍光体層から紫外線が発生し、その光が発光管の外部に向かって放射される。
【００２２】
オゾン生成光源の好ましい具体例としては、中心波長１７２ｎｍのキセノンエキシマランプが挙げられる。
【００２３】
エキシマランプ１０は、図１に示すように、例えば石英ガラスなどの紫外線透過材料によって構成され、一端（図１における右端）が封止され、他端（図１における左端）にピンチシール法によって形成された扁平状の封止部１１Ａが形成された直円筒状の発光管１１を備えている。この発光管１１の内部には、キセノンガスなどの希ガスが封入されていると共に、コイル状の内部電極１４が、発光管１１の管軸に沿って伸びるように配設されている。この内部電極１４は、内部リード１５を介して封止部１１Ａに埋設された金属箔１６に電気的に接続されており、金属箔１６には、封止部１１Ａの外端面から外方に突出する内部電極用外部リード１７の一端部が電気的に接続されている。また、発光管１１の外周面には、網状の外部電極１８が設けられおり、外部電極１８には、封止部１１Ａに沿って伸びる外部電極用外部リード１９の一端部が電気的に接続されている。そして、内部電極１４と外部電極１８とが、発光管１１の内部空間および発光管１１の管壁を介して対向する領域において、発光領域が形成されている。このようにして、発光管１１の内部に放電空間が形成されている。
また、エキシマランプ１０の封止部１１Ａには、セラミック製のベース部材２１が装着されている。このベース部材２１には、給電線２２，２３が配設されており、この給電線２２，２３には、それぞれ外部電極用外部リード１９の他端部および内部電極用外部リード１７の他端部が接続されている。
そして、エキシマランプ１０は、内部電極１４が、金属箔１６、内部電極用外部リード１７およびベース部材２１の給電線２２を介して高周波電源２４に接続され、外部電極１８が、外部電極用外部リード１９およびベース部材２１の給電線２３を介して接地されている。
この図の例において、発光管１１は、一端に排気管残部１１Ｂを有するものである。
【００２４】
本発明の殺菌方法の具体例としては、後述する、種々の殺菌処理機構を用いる手法が挙げられる。
いずれの殺菌処理機構を利用するかは、被殺菌処理対象の種類および被殺菌処理対象において必要とされる殺菌率などを考慮して、適宜に選択される。
【００２５】
（第１の殺菌処理機構）
図２は、本発明の殺菌方法を実施するために用いられる殺菌処理機構の構成の一例を示す説明図である。また、図３は、図２の殺菌処理機構におけるオゾン発生器の構成の一例の概略を示す説明図である。
第１の殺菌処理機構３０は、外観形状が立方体状の箱状部材よりなる区画壁部３１によって区画された、殺菌対象物が存在する殺菌対象物存在空間Ｓ１を被殺菌処理対象とするものである。そして、第１の殺菌処理機構３０において、殺菌対象物存在空間Ｓ１内には、オゾン生成空間Ｓ２が区画されている。
この第１の殺菌処理機構３０は、具体的には、例えば病院の病室、工場の食品取扱室および食品庫などの室内空間よりなる殺菌対象物存在空間Ｓ１内に、オゾン発生器４０におけるオゾン生成空間Ｓ２が位置された構成のものである。そして、第１の殺菌処理機構３０においては、殺菌対象物存在空間Ｓ１が閉塞空間とされた状態、すなわち室内空間（殺菌対象物存在空間Ｓ１）と外部（区画壁部３１の外部）とを連通する、開閉可能な開口部（具体的には、扉および窓等）が閉じられた状態で殺菌処理が行われる。
【００２６】
オゾン発生器４０は、原料空気Ｇ１にオゾン生成用光を照射することによって、当該原料空気Ｇ１中の酸素にオゾン生成用光を吸収させてオゾンを生成し、生成されたオゾンを含有するオゾン含有空気Ｇ２を、当該オゾン発生器４０の外部に排出するものである。
このオゾン発生器４０は、長尺な直円筒状の空気流路形成部材４１を備えており、この空気流路形成部材４１によって、殺菌対象物存在空間Ｓ１とオゾン生成空間Ｓ２とを区画する区画壁部が構成されている。すなわち、空気流路形成部材４１における円柱状の内部空間によってオゾン生成空間Ｓ２が構成されている。空気流路形成部材４１においては、一端に空気導入口４１Ａが形成され、他端に空気導出口４１Ｂが形成されている。この空気導入口４１Ａには、直円筒状の空気導入路形成部材４２による原料空気導入路を介して、殺菌対象物存在空間Ｓ１の外部、すなわち区画壁部３１の外部に設けられた原料空気供給手段（図示省略）が接続されている。区画壁部３１には、空気供給用開口３２が形成されており、この空気供給用開口３２には、空気導入路形成部材４２が気密に挿設されている。また、空気導出口４１Ｂには、直円筒状の空気導出路形成部材４３が接続されおり、この空気導出路形成部材４３における空気導出口４３Ａは、殺菌対象物存在空間Ｓ１の略中心部に位置している。また、空気流路形成部材４１の内部（オゾン生成空間Ｓ２）には、図１に示すような構成のエキシマランプ１０よりなるオゾン生成光源が、給電線２２を介して高周波電源２４に接続され、給電線２３を介して接地された状態で、発光領域の全域が当該内部に位置するように配置されている。このエキシマランプ１０は、空気流路形成部材４１の内径よりも小さい外径を有すると共に、当該空気流路形成部材４１の全長よりも短い発光長（発光領域の長さ）を有するものである。また、エキシマランプ１０は、空気流路形成部材４１の内部において、当該エキシマランプ１０の管軸（ランプ中心軸）が空気流路形成部材４１の管軸と略一致するように支持部材（図示省略）によって支持されている。すなわち、エキシマランプ１０は、管軸（ランプ中心軸）が空気流路形成部材４１の管軸と略一致し、当該エキシマランプ１０の外周面が全周にわたって空気流路形成部材４１の内周面と離間し、当該外周面と当該内周面との間に環状空間が形成されるように配設されている。このようにして、空気流路形成部材４１の内部、すなわちオゾン生成空間Ｓ２には、原料空気供給手段から空気導入口４１Ａを介して供給された原料空気Ｇ１が空気導出口４１Ｂに向かって流動する空気流路が形成されている。
【００２７】
空気流路形成部材４１においては、内周面の全面がオゾンに対する耐性を有しており、また必要に応じてオゾン生成光源（エキシマランプ１０）からの光に対する遮光性を有している。この空気流路形成部材４１は、フッ素樹脂およびステンレス鋼などの耐オゾン性材料よりなることが好ましい。
また、空気流路形成部材４１は、内周面における、少なくともオゾン生成光源（エキシマランプ１０）からの光が照射される領域が、オゾン生成用光に対する光反射機能を有するものであることが好ましい。
空気流路形成部材４１が、オゾン生成光源（エキシマランプ１０）からの光が照射される領域において光反射能を有するものであることにより、オゾン生成光源からの光（オゾン生成用光）を有効に利用することができるため、より高い効率でオゾンを生成することができる。
この図の例において、空気流路形成部材４１は、金属（具体的には、アルミニウム）よりなることにより、内周面の全面がオゾンに対する耐性を有すると共に光反射能を有するものとされており、またエキシマランプ１０からの光に対する遮光性を有するものとされている。
【００２８】
原料空気供給手段としては、例えば区画壁部３１の外部から外部雰囲気を構成する空気（周囲空気）を導入し、その外部雰囲気を構成する空気を、空気流路形成部材４１の内部（オゾン生成空間Ｓ２）に供給して流動させることのできる送風手段が用いられる。
【００２９】
原料空気供給手段による原料空気Ｇ１の供給条件は、空気流路形成部材４１の内部（オゾン生成空間Ｓ２）において、原料空気Ｇ１に対して所期の照射条件でオゾン生成用光が照射されるように、空気流路形成部材４１の内径やエキシマランプ１０の外径などを考慮して適宜に定められる。
【００３０】
このような構成の第１の殺菌処理機構３０においては、本発明の殺菌方法により、殺菌対象物存在空間Ｓ１に存在する殺菌対象物を殺菌する殺菌処理が行われる。
具体的に説明すると、オゾン発生器４０において、原料空気供給手段により、隔壁壁部３１の外部雰囲気を構成する空気（周囲空気）が、原料空気Ｇ１として、空気導入口４１Ａを介して空気流路形成部材４１の内部（オゾン生成空間Ｓ２）に供給される。この空気流路形成部材４１の内部に供給された原料空気Ｇ１は、空気導出口４１Ｂに向かって空気流路を流動し、その原料空気Ｇ１に対して、エキシマランプ１０（オゾン生成光源）からの光（オゾン生成用光）が照射される。これにより、原料空気Ｇ１中の酸素がオゾン生成用光（紫外線）を吸収することによってオゾン生成反応が生じてオゾンが生成される。このようにして原料空気Ｇ１にオゾン生成用光が照射されることによって生成されたオゾンを含有するオゾン含有空気Ｇ２が、空気導出口４１Ｂを介して空気導出口４３Ａからオゾン発生器４０の外部に排出される。そして、このようにしてオゾン生成空間Ｓ２から殺菌対象物存在空間Ｓ１に供給されたオゾン含有空気Ｇ２に、当該殺菌対象物存在空間Ｓ１に存在する殺菌対象物が曝露されることにより、当該殺菌対象物存在空間Ｓ１が殺菌処理される。
【００３１】
（第２の殺菌処理機構）
図４は、本発明の殺菌方法を実施するために用いられる殺菌処理機構の構成の他の例を示す説明図である。
第２の殺菌処理機構５０は、図２に係る第１の殺菌処理機構３０において、原料空気供給手段が殺菌対象物存在空間Ｓ１の内部、すなわち区画壁部３１の内部に設けられていること、および区画壁部３１に空気供給用開口３２が形成されていないこと以外は、当該図２に係る第１の殺菌処理機構３０と同様の構成を有するものである。すなわち、第２の殺菌処理機構５０は、殺菌対象物存在空間Ｓ１の雰囲気を構成する空気が、原料空気Ｇ１として、空気流路形成部材４１の内部（オゾン生成空間Ｓ２）に供給される構成のものである。
この第２の殺菌処理機構５０において、原料空気供給手段４６としては、殺菌対象物存在空間Ｓ１の雰囲気を構成する空気を循環する構成のものが用いられる。具体的に説明すると、原料空気供給手段４６は、殺菌対象物存在空間Ｓ１の雰囲気を構成する空気を導入し、その空気を、原料空気Ｇ１として、空気流路形成部材４１の内部（オゾン生成空間Ｓ２）に供給して流動させることのできるものが用いられる。
また、第２の殺菌処理機構５０は、具体的には、例えば病院の病室、工場の食品取扱室および食品庫などの室内空間よりなる殺菌対象物存在空間Ｓ１内に、オゾン発生器４０におけるオゾン生成空間Ｓ２が位置された構成のものである。そして、第２の殺菌処理機構５０においては、殺菌対象物存在空間Ｓ１が閉塞空間とされた状態、すなわち室内空間（殺菌対象物存在空間Ｓ１）と外部（区画壁部３１の外部）とを連通する、開閉可能な開口部（具体的には、扉および窓等）が閉じられた状態で殺菌処理が行われる。
【００３２】
このような構成の第２の殺菌処理機構５０においては、本発明の殺菌方法により、殺菌対象物存在空間Ｓ１に存在する殺菌対象物を殺菌する殺菌処理が行われる。
具体的に説明すると、オゾン発生器４０において、原料空気供給手段４６により殺菌対象物存在空間Ｓ１の雰囲気を構成する空気が、原料空気Ｇ１として、空気導入口４１Ａを介して空気流路形成部材４１の内部（オゾン生成空間Ｓ２）に供給される。この空気流路形成部材４１の内部に供給された原料空気Ｇ１は、空気導出口４１Ｂに向かって空気流路を流動し、その原料空気Ｇ１に対して、エキシマランプ１０（オゾン生成光源）からの光（オゾン生成用光）が照射される。これにより、原料空気Ｇ１中の酸素がオゾン生成用光（紫外線）を吸収することによってオゾン生成反応が生じてオゾンが生成される。このようにして原料空気Ｇ１にオゾン生成用光が照射されることによって生成されたオゾンを含有するオゾン含有空気Ｇ２が、空気導出口４１Ｂを介して空気導出口４３Ａからオゾン発生器４０の外部に排出される。そして、このようにしてオゾン生成空間Ｓ２から殺菌対象物存在空間Ｓ１に供給されたオゾン含有空気Ｇ２に、当該殺菌対象物存在空間Ｓ１に存在する殺菌対象物が曝露されることにより、当該殺菌対象物存在空間Ｓ１が殺菌処理される。
【００３３】
（第３の殺菌処理機構）
図５は、本発明の殺菌方法を実施するために用いられる殺菌処理機構の構成の更に他の例を示す説明図である。
第３の殺菌処理機構５２は、図２に係る第１の殺菌処理機構３０において、殺菌対象物存在空間Ｓ１の外部にオゾン生成空間Ｓ２が区画されていること、具体的には、オゾン発生器４０が殺菌対象物存在空間Ｓ１の外部、すなわち区画壁部３１の外部に設けられていること以外は、当該図２に係る第１の殺菌処理機構３０と同様の構成を有するものである。
この第３の殺菌処理機構５２において、区画壁部３１の空気供給用開口３２には、空気導出路形成部材４３が気密に挿設されている。
この第３の殺菌処理機構５２は、例えば病院の病室、工場の食品取扱室および食品庫などの室内空間よりなる殺菌対象物存在空間Ｓ１の外部に、オゾン発生器４０が配置された構成のものである。そして、第３の殺菌処理機構５２においては、殺菌対象物存在空間Ｓ１が閉塞空間とされた状態、すなわち室内空間（殺菌対象物存在空間Ｓ１）と外部（区画壁部３１の外部）とを連通する、開閉可能な開口部（具体的には、扉および窓等）が閉じられた状態で殺菌処理が行われる。
【００３４】
このような構成の第３の殺菌処理機構５２においては、本発明の殺菌方法により、殺菌対象物存在空間Ｓ１に存在する殺菌対象物を殺菌する殺菌処理が行われる。
具体的に説明すると、オゾン発生器４０において、原料空気供給手段により、隔壁壁部３１の外部雰囲気を構成する空気（周囲空気）が、原料空気Ｇ１として、空気導入口４１Ａを介して空気流路形成部材４１の内部（オゾン生成空間Ｓ２）に供給される。この空気流路形成部材４１の内部に供給された原料空気Ｇ１は、空気導出口４１Ｂに向かって空気流路を流動し、その原料空気Ｇ１に対して、エキシマランプ１０（オゾン生成光源）からの光（オゾン生成用光）が照射される。これにより、原料空気Ｇ１中の酸素がオゾン生成用光（紫外線）を吸収することによってオゾン生成反応が生じてオゾンが生成される。このようにして原料空気Ｇ１にオゾン生成用光が照射されることによって生成されたオゾンを含有するオゾン含有空気Ｇ２が、空気導出口４１Ｂを介して空気導出口４３Ａからオゾン発生器４０の外部に排出される。そして、このようにしてオゾン生成空間Ｓ２から殺菌対象物存在空間Ｓ１に供給されたオゾン含有空気Ｇ２に、当該殺菌対象物存在空間Ｓ１に存在する殺菌対象物が曝露されることにより、当該殺菌対象物存在空間Ｓ１が殺菌処理される。
【００３５】
（第４の殺菌処理機構）
図６は、本発明の殺菌方法を実施するために用いられる殺菌処理機構の構成のまた更に他の例を示す説明図である。
第４の殺菌処理機構５４は、図２に係る第１の殺菌処理機構３０において、区画壁部３１の一部または全部が設けられておらず、殺菌対象物存在空間Ｓ１が開放空間とされていること以外は、当該図２に係る第１の殺菌処理機構３０と同様の構成を有するものである。
この第４の殺菌処理機構５４は、具体的には、例えば病院の病室、工場の食品取扱室および食品庫などの室内空間よりなる殺菌対象物存在空間Ｓ１の内部に、オゾン発生器４０におけるオゾン生成空間Ｓ２が位置された構成のものである。そして、第４の殺菌処理機構５４においては、殺菌対象物存在空間Ｓ１が開放空間とされた状態、すなわち室内空間（殺菌対象物存在空間Ｓ１）と外部（区画壁部３１の外部）とを連通する、開閉可能な開口部（具体的には、扉および窓等）が開けられた状態で殺菌処理が行われる。
【００３６】
このような構成の第４の殺菌処理機構５４においては、本発明の殺菌方法により、殺菌対象物存在空間Ｓ１に存在する殺菌対象物を殺菌する殺菌処理が行われる。
具体的に説明すると、オゾン発生器４０において、原料空気供給手段により、殺菌対象物存在空間Ｓ１の外部雰囲気（但し、殺菌対象物存在空間Ｓ１に連通している）を構成する空気（周囲空気）が、原料空気Ｇ１として、空気導入口４１Ａを介して空気流路形成部材４１の内部（オゾン生成空間Ｓ２）に供給される。この空気流路形成部材４１の内部に供給された原料空気Ｇ１は、空気導出口４１Ｂに向かって空気流路を流動し、その原料空気Ｇ１に対して、エキシマランプ１０（オゾン生成光源）からの光（オゾン生成用光）が照射される。これにより、原料空気Ｇ１中の酸素がオゾン生成用光（紫外線）を吸収することによってオゾン生成反応が生じてオゾンが生成される。このようにして原料空気Ｇ１にオゾン生成用光が照射されることによって生成されたオゾンを含有するオゾン含有空気Ｇ２が、空気導出口４１Ｂを介して空気導出口４３Ａからオゾン発生器４０の外部に排出される。そして、このようにしてオゾン生成空間Ｓ２から殺菌対象物存在空間Ｓ１に供給されたオゾン含有空気Ｇ２に、当該殺菌対象物存在空間Ｓ１に存在する殺菌対象物が曝露されることにより、当該殺菌対象物存在空間Ｓ１が殺菌処理される。
【００３７】
このような殺菌処理機構によって実施される本発明の殺菌方法においては、オゾン生成用光を、原料空気に対して照射することによって得られたオゾン含有空気に、殺菌対象物を曝露する。そのため、オゾン生成用光が照射されることに起因して、生成されたオゾンが分解されることがない。また、後述の実験例から明らかなように、原料空気雰囲気下において無声放電を生じさせることによって得られたオゾン含有空気を利用した場合のように、殺菌効率が原料空気の湿度に大きく影響されることがない。具体的には、原料空気雰囲気下において無声放電を生じさせることによって得られたオゾン含有空気を利用する殺菌方法において、高い殺菌効率を得ることのできない相対湿度６０％ＲＨ以下の空気、特に殺菌効果を得ることのできない２０％ＲＨの空気を原料空気として場合であっても、高い殺菌効率を得ることができる。
従って、本発明の殺菌方法によれば、オゾン原料ガスを構成する空気の湿度によらず、空気から生成したオゾンを利用して、高い殺菌効率で殺菌処理を行うことができる。その結果、本発明の殺菌方法においては、低湿度環境下においても、特に、相対湿度が６０％ＲＨ以下、好ましくは相対湿度が４０％ＲＨ以下、更に好ましくは相対湿度が２０％ＲＨの低湿度条件下においても、高い殺菌効率で確実に殺菌処理を行うことができる。
【００３８】
また、本発明の殺菌方法においては、原料空気に対するオゾン生成用光の照射時間などを調整することにより、オゾン含有空気におけるオゾン濃度を容易に制御することができる。そのため、殺菌対象物存在空間Ｓ１におけるオゾン濃度を、１００ｐｐｍ以下、好ましくは人体に悪影響を及ぼすことのない濃度、具体的には５０ｐｐｍ以下にすることができる。特に、第４の殺菌処理機構５４のように、殺菌対象物存在空間Ｓ１が開放空間である場合には、オゾンによる人体への悪影響を考慮して、当該殺菌対象物存在空間Ｓ１におけるオゾン濃度が５０ｐｐｍ以下であることが好ましい。
従って、本発明の殺菌方法は、扉や窓の開閉によって閉塞空間にも開放空間にもされる居住空間を殺菌処理するために好適に用いることができる。
【００３９】
以上、本発明の殺菌方法について具体的に説明したが、本発明は以上の例に限定されるものではなく、種々の変更を加えることができる。
例えば、本発明の殺菌方法を実施するために用いられる殺菌処理機構は、上記の構成（具体的には、第１の殺菌処理機構３０、第２の殺菌処理機構５０、第３の殺菌処理機構５２および第４の殺菌処理機構５４）に限定されるものではない。
【００４０】
以下、本発明の実験例について説明する。
【００４１】
〔実験例１〕
図７に示すように、容積２８８Ｌの環境試験機６１と、当該環境試験機６１の内部に配設されたオゾン発生器６３と、循環路形成部材６６を介して環境試験機６１に接続されたオゾンモニタ６５とを備えた実験用殺菌処理機構（以下、「実験用殺菌処理機構（１）」ともいう。）を作製した。オゾン発生器６３は、アルミニウムよりなる直円筒状の空気流路形成部材内に、中心波長が１７２ｎｍであって入力電力が２０Ｗのキセノンエキシマランプ（ウシオ電機株式会社製）が、当該空気流路形成部材の管軸に沿って配置されたものである（図３参照）。また、オゾンモニタ６５としては、紫外線吸収式オゾンモニタ「ＥＧ−３０００Ｄ」（荏原実業株式会社製）を用いた。この実験用殺菌処理機構（１）においては、循環路形成部材６６による循環路を介して環境試験機６１の内部雰囲気を構成するガス（空気）を循環し、オゾンモニタ６５によって当該内部雰囲気を構成する空気のオゾン濃度が測定される。
この実験用殺菌処理機構（１）は、本発明の殺菌方法によって殺菌処理を行うものである。
【００４２】
また、実験用殺菌処理機構（１）において、オゾン発生器６３として、入力電力（消費電力）が４５Ｗの放電式オゾン発生器「剛腕１０００Ｔ（型番：ＧＷＤ−１０００Ｔ）」（オーニット株式会社製）を用いた比較実験用殺菌処理機構（以下、「実験用殺菌処理機構（２）」ともいう。）を作製した。
この実験用殺菌処理機構（２）は、オゾン生成方法として、空気の雰囲気下において、沿面放電などの無声放電を生じさせることによってオゾンを生成させる放電方式を利用するものである。以下において、実験用殺菌処理機構（２）によって行われる、放電方式のオゾンの生成方法によって得られたオゾン含有空気を利用する殺菌方法を、「放電方式利用殺菌方法」ともいう。
ここに、放電方式のイオンの生成方法において用いられるオゾン発生器は、例えば、図８に示すように、石英ガラスなどの誘電体材料よりなる直円筒状の空気流路形成部材７１を備えており、この空気流路形成部材７１の内周面によって区画される円柱状空間により、一方の端部７１Ａから他方の端部７１Ｂに向かって空気が流動すると共に、放電（無声放電）が生じる空気流路が形成されたものである。この空気流路形成部材７１には、外周面に、管軸に沿って螺旋状に伸びる一方の電極７２が設けられ、また内周面に、管軸に沿って螺旋状に伸びる一方の電極７３が設けられており、これらの一方の電極７２および他方の電極７３は、給電線７４，７５を介して高周波電源７６に接続されている。
【００４３】
一方、寒天培地が充填されており、その寒天培地上に、大腸菌Ｋ１２株（ＮＢＲＣ１０６３７３）を植菌した試験区用シャーレと対照区用シャーレとを、それぞれ複数用意した。ここに、複数の試験区用シャーレおよび複数の対照区用シャーレにおいて、植菌した大腸菌Ｋ１２株（ＮＢＲＣ１０６３７３）の数は、１０００個以上であって１２００個以下である。
【００４４】
作製した実験用殺菌処理機構（１）および実験用殺菌処理機構（２）において、環境試験機６１の内部の相対湿度が、２０％ＲＨ、４０％ＲＨ、６０％ＲＨまたは８０％ＲＨとなる条件下において、当該環境試験機６１におけるオゾン濃度が４０ｐｐｍとなるように、オゾン発生器６３を連続駆動した。ここに、環境試験機６１の内部は、温度が２０℃であって、気圧が大気圧と同等である。そして、環境試験機６１の扉（図示省略）を開けて、当該環境試験機６１の内部に、試験区用シャーレを配置した後、直ちに扉を閉めた。この環境試験機６１の扉の開閉に伴って、環境試験機６１の内部におけるオゾン濃度が３０ｐｐｍに低下した。その後、オゾン発生器６３の駆動を制御（ＯＮ／ＯＦＦ制御）することにより、環境試験機６１におけるオゾン濃度を３０±２ｐｐｍに維持した。このオゾン濃度が３０±２ｐｐｍに維持された状態の環境試験機６１の内部において、温度および気圧は一定であった。このようにして、オゾン濃度３０±２ｐｐｍのオゾン含有空気に、大腸菌Ｋ１２株（ＮＢＲＣ１０６３７３）を曝露した。
その後、ＣＴ値が４０、６０、８０または１００となる曝露時間が経過したところで、環境試験機６１から試験区用シャーレを取り出し、この試験区用シャーレを、対照区用シャーレと共に、温度３７℃の条件下において２４時間放置することによって培養した。
【００４５】
そして、２４時間培養後の試験区用シャーレおよび対照区用シャーレを確認した。
実験用殺菌処理機構（１）において、環境試験機の相対湿度が２０％ＲＨの条件下でオゾン含有空気を曝露した場合には、ＣＴ値が４０の試験区用シャーレにおけるコロニー数は３３１個であり、ＣＴ値が６０、８０、１００と大きくなるにつれて、コロニー数は減少し、ＣＴ値が１００の試験区用シャーレにおけるコロニー数は５１個であった。
また、実験用殺菌処理機構（１）において、環境試験機の相対湿度が４０％ＲＨの条件下でオゾン含有空気を曝露した場合には、ＣＴ値が４０の試験区用シャーレにおけるコロニー数は３４３個であり、ＣＴ値が６０、８０、１００と大きくなるにつれて、コロニー数は減少傾向にあり、ＣＴ値が１００の試験区用シャーレにおけるコロニー数は１６個であった。
また、実験用殺菌処理機構（１）において、環境試験機の相対湿度が６０％ＲＨの条件下でオゾン含有空気を曝露した場合には、ＣＴ値が４０の試験区用シャーレにおけるコロニー数は２６７個であり、ＣＴ値が６０、８０、１００と大きくなるにつれて、コロニー数は減少し、ＣＴ値が１００の試験区用シャーレにおけるコロニー数は１８個であった。
また、実験用殺菌処理機構（１）において、環境試験機の相対湿度が８０％ＲＨの条件下でオゾン含有空気を曝露した場合には、ＣＴ値が４０の試験区用シャーレにおけるコロニー数は７７個であり、ＣＴ値が６０、８０、１００と大きくなるにつれて、コロニー数は減少し、ＣＴ値が１００の試験区用シャーレにおける殺菌率は１３個であった。
一方、実験用殺菌処理機構（２）において、環境試験機の相対湿度が２０％ＲＨの条件下でオゾン含有空気を曝露したすべての試験区用シャーレは、コロニー数が１０００個以上であった。
また、実験用殺菌処理機構（２）において、環境試験機の相対湿度が４０％ＲＨの条件下でオゾン含有空気を曝露した場合には、ＣＴ値が４０の試験区用シャーレにおけるコロニー数は１０００個以上であったが、ＣＴ値が６０、８０および１００のときにはいずれもコロニー数が４００個を下回り、ＣＴ値が１００の試験区用シャーレにおけるコロニー数は１８６個であった。
また、実験用殺菌処理機構（２）において、環境試験機の相対湿度が６０％ＲＨの条件下でオゾン含有空気を曝露した場合には、ＣＴ値が４０の試験区用シャーレにおけるコロニー数は１８５個であり、ＣＴ値が６０、８０、１００と大きくなるにつれて、コロニー数は減少し、ＣＴ値が１００の試験区用シャーレにおけるコロニー数は８６個であった。
また、実験用殺菌処理機構（２）において、環境試験機の相対湿度が８０％ＲＨの条件下でオゾン含有空気の曝露した場合には、ＣＴ値が４０の試験区用シャーレにおけるコロニー数は８１個であり、ＣＴ値が６０、８０、１００と大きくなるにつれて、コロニー数は減少し、ＣＴ値が１００の試験区用シャーレにおけるコロニー数は３個であった。
なお、いずれの対照区用シャーレにおいても、コロニー数は１０００個以上であった。
【００４６】
そして、コロニー数が１０００個未満であった試験区用シャーレについて、そのコロニー数から大腸菌Ｋ１２株（ＮＢＲＣ１０６３７３）の殺菌率を算出た。結果を図９および図１０に示す。この図９および図１０においては、環境試験機の相対湿度が２０％ＲＨの条件に係る結果が菱形プロット（◆）で示されており、環境試験機の相対湿度が４０％ＲＨの条件に係る結果が四角プロット（■）で示されており、環境試験機の相対湿度が６０％ＲＨの条件に係る結果が三角プロット（▲）で示されており、環境試験機の相対湿度が８０％ＲＨの条件に係る結果がクロスプロット（×）で示されている。
【００４７】
実験例１の結果から、実験用殺菌処理機構（１）によれば、原料空気として、相対湿度が２０％ＲＨ、４０％ＲＨ、６０％ＲＨおよび８０％ＲＨの空気のいずれを用いた場合であっても、６５％以上の高い殺菌率が得られることが明らかである。特に、実験用殺菌処理機構（２）においては殺菌効果または高い殺菌率が得られることのなかった、原料空気として、相対湿度が６０％ＲＨ以下の空気を用いた場合であっても、高い殺菌率が得られることが明らかである。
従って、本発明に係る実験用殺菌処理機構（１）、すなわち本発明の殺菌方法によれば、オゾン原料ガスである空気の湿度によらず、空気から生成したオゾンを利用して、高い殺菌効率で殺菌処理を行うことができる。
【００４８】
具体的に説明すると、実験用殺菌処理機構（２）、すなわち放電方式利用殺菌方法においては、原料空気の相対湿度が８０％ＲＨおよび６０％ＲＨである場合には、ＣＴ値が４０、６０、８０および１００のいずれの値であっても、７５％以上の高い殺菌率が得られるものの、原料空気の相対湿度が４０％ＲＨである場合には、ＣＴ値が４０では殺菌率が著しく低いことが明らかである。また、２０％ＲＨである場合には、ＣＴ値が４０、６０、８０および１００のいずれの値であっても、殺菌率が著しく低いことが明らかである。
従って、放電方式利用殺菌方法においては、原料空気が低湿度である場合には、殺菌効果が得られないこと、または十分な殺菌効率が得られないことが確認された。
一方、実験用殺菌処理機構（１）、すなわち本発明の殺菌方法においては、実験用殺菌処理機構（２）とは異なり、原料空気の相対湿度によらず、６５％以上の高い殺菌率が得られることが明らかである。しかも、原料空気の相対湿度が６０％ＲＨである場合には、ＣＴ値が６０、８０および１００のいずれの値においても、実験用殺菌処理機構（２）に比してより高い殺菌率が得られ、また原料空気の相対湿度が２０％ＲＨおよび４０％ＲＨである場合には、ＣＴ値が４０、６０、８０および１００のいずれの値においても、実験用殺菌処理機構（２）に比してより高い殺菌率が得られることが明らかである。
従って、本発明の殺菌方法においては、原料空気の湿度によらず、十分な殺菌効率が得られることが確認された。
このように、本発明の殺菌方法と放電方式利用殺菌方法とにおいて、原料空気の湿度との関係で殺菌効率に大きな相違が生じる理由については、必ずしも明らかではないが、以下のように推考される。
光化学反応方式のオゾンの生成方法および放電方式のオゾンの生成方法を利用することによって空気から得られるオゾン含有空気には、オゾンと共に、オゾンの生成過程において生じる、酸素および水素などに由来のラジカルやイオンが含有されていると考えられる。そして、これらのオゾン含有空気に含有されるラジカルやイオンは、オゾンの生成方法の方式（光化学反応方式または放電方式）によって、その種類が異なるものとなると考えられる。具体的に説明すると、光化学反応方式のオゾンの生成方法においては、低湿環境下においても、原料空気にオゾン生成用光が照射されることによって、原料空気中に存在する水（水分）が液滴化され、その液滴化された水からラジカルが生じると考えられる。一方、放電方式のオゾンの生成方法においては、原料空気中に存在する水が液滴化されてラジカルが生じることはない。このオゾン含有空気に含有されるラジカルやイオンの、当該オゾン含有空気の殺菌作用に及ぼす影響が、殺菌効率の相違をもたらすものと考えられる。
【００４９】
また、実験例１において、試験区用シャーレに植菌した大腸菌Ｋ１２株（ＮＢＲＣ１０６３７３）をオゾン含有空気に曝露する曝露時間を一定時間とし、当該オゾン含有空気におけるオゾン濃度を変更することによって、ＣＴ値が４０、６０、８０または１００となるようにしたこと以外は、当該実験例１と同様の実験を行った。この実験においても、実験例１と同様の結果が得られた。
【符号の説明】
【００５０】
１０    エキシマランプ
１１    発光管
１１Ａ    封止部
１１Ｂ    排気管残部
１４    内部電極
１５    内部リード
１６    金属箔
１７    内部電極用外部リード
１８    外部電極
１９    外部電極用外部リード
２１    ベース部材
２２，２３    給電線
２４    高周波電源
３０    第１の殺菌処理機構
３１    区画壁部
３２    空気供給用開口
４０    オゾン発生器
４１    空気流路形成部材
４１Ａ    空気導入口
４１Ｂ    空気導出口
４２    空気導入路形成部材
４３    空気導出路形成部材
４３Ａ    空気導出口
４６    原料空気供給手段
５０    第２の殺菌処理機構
５２    第３の殺菌処理機構
５４    第４の殺菌処理機構
６１    環境試験機
６３    オゾン発生器
６５    オゾンモニタ
６６    循環路形成部材
７１    空気流路形成部材
７１Ａ    一方の端部
７１Ｂ    他方の端部
７２，７３    電極
７４，７５    給電線
７６    高周波電源
Ｓ１    殺菌対象物存在空間
Ｓ２    オゾン生成空間
Ｇ１    原料空気
Ｇ２    オゾン含有空気
【図１】
2017086257.tif 000003
【図２】
2017086257.tif 000004
【図３】
2017086257.tif 000005
【図４】
2017086257.tif 000006
【図５】
2017086257.tif 000007
【図６】
2017086257.tif 000008
【図７】
2017086257.tif 000009
【図８】
2017086257.tif 000010
【図９】
2017086257.tif 000011
【図１０】
2017086257.tif 000012